(57)【要約】【課題】カウンタ板がギアに噛み合うようにしてカウンタ機構を確実に動作させる。【解決手段】カウンタ機構３１はカウンタ板８５、カウンタベース７２、ギア部材７５からなる。ギア部材７５は、スプロケット３６と係合している。カウンタベース７２は、カウンタ板８５を支持する支持軸８６と、カウンタ板８５を付勢する付勢部材８７とが形成されている。付勢部材８７は、カウンタ板８５とギア部材７５の中心線上に位置し、カウンタ板８５をギア部材７５側に付勢する。付勢部材８７によって付勢されたカウンタ板８５はギア部材７５に噛合し、スプロケット３６と一体になってギア部材７５が回動すると、ギア部材７５から回動が伝達されたカウンタ板８５が所定角度回転する。【選択図】        図５
2004302236.tif 000002
【特許請求の範囲】
【請求項１】
写真フイルムのパーフォレーションに噛合して１コマの撮影ごとに行われる写真フイルムの巻上げ移送により従動回転するスプロケットと、このスプロケットと同軸かつ一体となって回転するギヤ部材と、このギヤ部材に噛合される歯が複数形成され、ギア部材の回転によって一目盛り分ずつ回転される円板状のカウンタ板とを備えたカメラのカウンタ機構において、
前記カウンタ板を、回転自在且つ軸方向と直交する方向に微小量移動自在に軸支するとともに、前記ギア部材と前記カウンタ板の中心を結ぶ線上に位置し、前記カウンタを前記ギア部材に向かって付勢する付勢手段を備えていることを特徴とするカメラのカウンタ機構。
【請求項２】
前記付勢手段は、前記カウンタ板を支持する支持部材と一体に形成された付勢部材であることを特徴とするカメラのカウンタ機構。
【発明の詳細な説明】
【０００１】
【発明の属する技術分野】
本発明は、カメラに関し、更に詳しくは、簡易な構造からなるカウンタ機能を備えたカメラに関するものである。
【０００２】
【従来の技術】
低価格なカメラでは、シャッターチャージを行うシャッタ駆動レバーを、写真フイルムのパーフォレーションに従動して回転されるスプロケットと一体になって回転するカム部材によって回転させるチャージ機構や、スプロケットの回転を利用してカウンタ板を回転させるカウンタ機構などが組み込まれ、簡易的でローコストな構造となっている。
【０００３】
上述したようなカウンタ機構は例えば、特許文献１〜４に記載されており、目盛りが設けられ、周縁部に歯車を一体に形成したカウンタ板と、上述のスプロケットと、カウンタ板と噛み合うギア部、及びシャッタ駆動レバーを押圧するカム部などを一体に形成し、スプロケットとともに回転するカム部材とから構成されており、フイルムが１コマ巻上げられる毎に、スプロケット及びカム部材が従動して回転し、このカム部材の回転によってカウンタ板が１目盛り分の所定角度回転するようになっている。
【０００４】
【特許文献１】
実開昭５５−１５９３３６号公報
【特許文献２】
実開平５−９０４７４号公報
【特許文献３】
実開平５−２７７４４号公報
【特許文献４】
特許第３２６１６２２号公報
【０００５】
【発明が解決しようとする課題】
上記特許文献１に記載されているようなカウンタ機構を構成するカム部材や、カウンタ板は、カメラ本体の上方部に軸支されて組み込まれているが、このカウンタ機構を常に安定して作動させるためには、カウンタ板と、カム部材のギア部とが確実に噛み合うように、いずれか一方を付勢して他方側に押し付けることが必要であり、このための付勢手段も組み込まなくてはならない。
【０００６】
ところが、カム部材を付勢してカウンタ板側に押し付けるように付勢手段を組み込むと、付勢を受けたカム部材が撓むように変形することになる。カム部材は、上述したように、シャッタ駆動レバーを押圧するカム部などが一体に形成されているため、軸方向に長く、付勢を受けると簡単に撓んでしまう。そして、中心軸がブレている状態でカム部材が回転すると、カム部とシャッタ駆動レバーとの位置がずれてしまうため、カム部材の撓みが大きいと、シャッタ駆動レバーを正確に押圧することができなくなる。なお、カウンタ板を回転させるためのギア部と、シャッタ駆動レバーを押圧するためのカム部とを別部材にして構成することも考えられるが、部品点数の増加になり、コストが上昇することになる。
【０００７】
本発明は、上記課題及び問題点を解決するためになされたものであり、カウンタ板と噛み合い、スプロケットとともに回転する部材の撓みを防止し、確実に動作するカメラのカウンタ機構をローコストに提供することを目的とする。
【０００８】
【課題を解決するための手段】
上記課題を解決するために、請求項１記載のカメラのカウンタ機構は、写真フイルムのパーフォレーションに噛合して１コマの撮影ごとに行われる写真フイルムの巻上げ移送により従動回転するスプロケットと、このスプロケットと同軸かつ一体となって回転するギヤ部材と、このギヤ部材に噛合される歯が複数形成され、ギア部材の回転によって一目盛り分ずつ回転される円板状のカウンタ板とを備えたカメラにおいて、前記カウンタ板を、回転自在且つ軸方向と直交する方向に微小量移動自在に軸支するとともに、前記ギア部材と前記カウンタ板の中心を結ぶ線上に位置し、前記カウンタを前記ギア部材に向かって付勢する付勢手段を備えている。なお、前記付勢手段は、前記カウンタ板を支持する支持部材と一体に形成された付勢部材であることが好ましい。
【０００９】
【発明の実施の形態】
図１は、本発明を実施したカメラ１の外観斜視図である。このカメラ１のカメラボディ２の前面には、撮影レンズ３、対物側ファインダレンズ４、ストロボ発光部５、レンズバリア操作スイッチ６、及びストロボ操作スイッチ７が設けられ、上面には、シャッタボタン８、残り撮影枚数を表示するカウンタ窓９、ライトガイド１０などが設けられている。また、カメラボディ２の背面側には、接眼側ファインダレンズ１１（図２参照）などが設けられている。
【００１０】
カメラボディ２は、詳しくは図２に示すように、本体基部１９と、この本体基部１９を覆うように前後から取り付けられる前カバー２０、及び後カバー２１からなる。本体基部１９、前カバー２０、及び後カバー２１を構成する大部分の部品は、軽量化及びコストダウン化のためにプラスチックで成形されたものである。
【００１１】
後カバー２１は、カバー基部２３及び裏蓋２４からなる。裏蓋２４は、カメラボディ２に対して開閉自在に取り付けられ、閉じ位置にあるときには、カメラボディ２の内部を光密に塞ぐ。また、下方部には、電池室蓋２５が開閉自在に取り付けられており、この電池室蓋２５を開き位置にすると、後述する電池室２６が露呈する。
【００１２】
本体基部１９には、図３に示すように、露光機構２７、ファインダユニット２８、シャッタ機構２９、フイルム給送機構３０、カウンタ機構３１などの各種撮影機構が組み込まれている。
【００１３】
ファインダユニット２８は、対物側ファインダレンズ４、接眼側ファインダレンズ１１、及びこれらを支持するファインダベース３２からなり、本体基部１９の上方部に組み付けられている。
【００１４】
本体基部１９の中央部には、前面側に組み付けられる露光機構２７から写真フイルム３３までの間の撮影光路を遮光する遮光筒３４が設けられている。この遮光筒３４の背面側には、写真フイルム３３への露光範囲を規定するアパーチャーが形成されており、このアパーチャー３５（図４参照）に対面するように裏蓋２４にフイルム支持面２４ａ（図２参照）が形成されている。遮光筒３４の前面側には、撮影レンズ３を透過した被写体光をアパーチャーに導くための露光開口３４ａが形成されている。また、遮光筒３４の背面側には、シャッタ機構２９を構成するスプロケット３６を写真フイルム３３に向けて露呈させるための開口３７（図４参照）が形成されている。
【００１５】
本体基部１９には、遮光筒３４を挟んで、一方の側方部にはフイルムパトローネ３８が装填されるパトローネ室３９が、他方の側方部にはフイルムパトローネ３８から引き出された写真フイルム３３を巻き取るフイルム巻き取り室４０とが設けられている。
【００１６】
フイルム巻き取り室４０の上方部には、図２に示すように、ストロボ発光部５が取り付けられ、露光機構２７の下方部には電源電池３１を収納する電池室２６設けられている。ストロボ発光部５は、放電管及び反射傘などが組み込まれ、回路基板４１と、図示しない電線コードで接続されて、ストロボ装置を構成している。
【００１７】
フイルム給送機構３０は、本体基部１９の上方部に組み込まれており、スプール駆動軸４２、フイルム巻き取り軸４３、モータ４４、モータ４４の回転駆動を伝達するモータ駆動伝達部４５、スプール駆動軸４２に駆動を伝達するスプール駆動伝達部４６、遊星ギアクラッチ４７とからなる。
【００１８】
スプール駆動軸４２は、パトローネ室３９の上方部に組み込まれ、パトローネ３８のスプール３８ａに係合するパトフォーク４２ａと、このパトフォーク４２ａの上端に位置し、同軸上に一体形成されたギア４２ｂとから構成される。フイルム巻き取り軸４３は、フイルム巻き取り室４０の内部に設けられ、その周囲にフイルム３３のパーフォレーション３３ａと係合する突起４３ａが、上端部の同軸上にはギア４３ｂが一体形成されている。フイルム巻き取り軸４３の内部にはモータ４４が内蔵されている。モータ４４の駆動軸４４ａの先端には、ピニオンギア５１が固着されている。
【００１９】
モータ駆動伝達部４５は、互いに噛合された駆動ギア５３，５４からなる。一方の駆動ギア５３には、モータ４４のピニオンギア５１が噛合している。他方の駆動ギア５４には、遊星ギアクラッチ４７の太陽ギア５５が接続されている。なお、これら駆動ギア５３、５４はファインダベース３２に軸支されている。
【００２０】
また、スプール駆動伝達部４６は、互いに噛合された駆動ギア５７〜６０と、連結ギア６１とから構成される。一端側に位置する駆動ギア５７は、遊星ギアクラッチ４７の遊星ギア６２の付近に位置している。連結ギア６１の下端部には、矩形断面の突出部６１ａが形成されており、この突出部６１ａが駆動ギア６０の開口部６０ａに係合することにより一体となって回転する。この連結ギア６１は、スプール駆動軸４２のギア４２ｂに噛合するので、駆動ギア５７〜６０からの回動をスプール駆動軸４２に伝達する。
【００２１】
遊星ギアクラッチ４７は、太陽ギア５５と、遊星ギア６２と、クラッチ板６３とから構成される。クラッチ板６３には、太陽ギア５５及び遊星ギア６２が軸支される。さらに、クラッチ板６３は、本体基部１９に設けられた軸６４に軸支され、太陽ギア５５の中心と同軸に回転する。このため、遊星ギアクラッチ４７は、遊星ギア６２がフイルム巻き取り軸４３のギア４３ｂと接続する第１の位置と、遊星ギア６２がスプール駆動伝達部４６の駆動ギア５８と接続する第２の位置との間で移動することができる。
【００２２】
太陽ギア５５にモータ４４の回転駆動が伝達されたとき、モータ４４が正転方向（矢印Ａ方向）に回転した場合、遊星ギア６２は第１の位置に移動し、回転駆動が伝達されたフイルム巻き取り軸４３が写真フイルム３３を巻き上げる方向に回転する。そしてモータ４４が逆転方向（矢印Ｂ方向）に回転すると、遊星ギア６２が第２の位置に移動し、回転駆動が伝達されたスプール駆動軸４６が写真フイルム３３を巻戻す方向に回転する。このように、モータ４４の回転を切り替えることによって、巻上げ、巻戻し動作を切り替えることができる。
【００２３】
露光機構２７は、遮光筒３４の前面に組み付けられるレンズベース部４８と、シャッタ羽根４９とからなる。レンズベース部４８は、レンズカバー５０との間に撮影レンズ３を挟み込んで保持する。シャッタ羽根４９は、レンズベース部４８の背後に露光開口３４ａを開閉するように揺動自在に組み付けられている。
【００２４】
シャッタ機構２９は、シャッタ駆動レバー６６、第１バネ６７、係止レバー６８、第２バネ６９、カムユニット７０からなる。シャッタ駆動レバー６６及び第１バネ６７は、上述した連結ギア６１とともに、ファインダベース３２の上方部に、同軸上に軸支される。係止レバー６８は、ファインダベース３２と、後述するカウンタベース７２との間に挟まれて軸支される。係止レバー６８とカウンタベース７２との間には第２バネ６９が掛けられて係止レバー６８を付勢する。
【００２５】
カムユニット７０は、詳しくは図４に示すように、カム部材７４及びギア部材７５からなり、これらが同軸上で回転するようにファインダベース３２に軸支されている。カム部材７４は、カム部７６と、このカム部７６の上方部にギア部材７５を支持する軸受け部７７とが形成されている。軸受け部７７の中央は、貫通穴７７ａが形成されている。この貫通穴７７ａに挿入されたギア部材７５の下端部は、カム部材７４の下方へ突出する。カム部７６は、その外周にシャッタ駆動レバー６６のカムフォロワ６６ｃが当接する。
【００２６】
ギア部材７５は、カム部材７４を貫通するように軸方向に長い棒状に形成されており、上端部には、円板部７８と、この円板部７８の上面に位置するギア部７９と、円板部７８の下面に位置する一対の弾性片８０とが形成され、下端部には下方へ突出する突出部８１が形成されている。ギア部７９は、円板状の一箇所のみ三角形状に切り欠かれた切り欠き部を持つように形成されている。
【００２７】
ギア部材７５の突出部８１がスプロケット３６の開口部３６ａに係合することにより一体となって回転する。弾性片８０は反時計方向に突出するように形成されており、１８０の角度間隔で回転対称な位置に配置されている。この弾性片８０は、カム部材７４の軸受け部７７に係合する。軸受け部７７の内壁面には、一対の係合突起７７ｂが回転対称な位置に形成されている。これら弾性片８０及び係合突起４２ｂは、ワンウェイクラッチを構成しており、ギア部材７５が一方の方向に回転したときのみ、ギア部材７５とカム部材７４とが係合し、一体となって回転することが可能となっている。
【００２８】
写真フイルム３３の１コマ送りのときには、モータ４４の回動により、スプール駆動軸４２が回転し、スプール３８ａに写真フイルム３３が巻戻される。この１コマ送りのときには、スプロケット３６が写真フイルム３３のパーフォレーション３３ａに係合しているので、図中反時計方向に従動回転する。このとき、弾性片８０が係合突起７７ｂに当接して係合し、カム部材７４が同方向に一体となって回転する。逆に、ギア部材７５が図中時計方向の巻上げ方向に回転すると、弾性片８０は係合突起７７ｂに当接して弾性変形し、係合突起７７ｂを乗り越えるので、カム部材７４は回転しない。これにより、カム部材７４は、ワンウェイクラッチの作用で、１コマ送りのときのみカム部７６が回転してシャッタ駆動レバー６６を押圧してチャージ状態とし、初期送りのときには、シャッタ駆動レバー６６を押圧しない。
【００２９】
なお、カムユニット７０は、ギア部材７５の下方部が、ファインダベース３２に形成された軸受け穴３２ａに挿入され、ギア部材７５の上端部が、後述するカウンタカバー８２によって支持されるので、上下から挟み込まれた状態で確実に支持される。
【００３０】
シャッタ駆動レバー６６は、図３に示すように、第１バネ６７によって反時計方向（レリーズ位置）に向けて付勢されている。このシャッタ駆動レバー６６は、前端部には、レリーズ操作時にシャッタ羽根４９のシャッタ開放用突起４９ａを蹴り飛ばす蹴飛ばしレバー６６ａが、その上面にはチャージ状態で係止レバー６８の係止突起６８ｂに係止される被係止突起６６ｂが、側端部には、カム部７６によって押圧されるカムフォロワ６６ｃが一体に形成されている。カム部７６は、羽根形状の突起からなり、カムフォロワ６６ｃを押圧し、シャッタ駆動レバー６６を時計方向（チャージ位置）に向けて回動させる。
【００３１】
係止レバー６８は、第２バネ６９によって、反時計方向（巻止め位置）に向けて付勢されている。この係止レバー６８には、係止突起６８ａと、フック６８ｂとが形成されている。シャッタボタン８の末端部８ａは、係止レバー６８のフック６８ｂに係合しており、シャッタボタン８が押下されることにより、末端部８ａによる係合が解除された係止レバー６８が反時計方向に回動されて、係止突起６８ａと被係止突起６６ｂの係止が解除される。このとき、係止レバー６８による係止が解除されたシャッタ駆動レバー６６は、第１バネ６７の付勢により反時計方向に回動する。
【００３２】
シャッタ駆動レバー６６が反時計方向に回動されると、蹴飛ばしレバー６６ａがシャッタ羽根４９の突起４９ａを蹴飛ばす。これにより、シャッタ羽根４９は軸着部を中心にして揺動して露光開口３４ａを開放し、写真フイルム３３への露光が行われる。シャッタ羽根４９はバネによって露光開口３４ａを塞ぐ位置に向けて付勢されているので、露光開口３４ａはすぐに閉じられる。また、シャッタ駆動レバー６６の蹴飛ばし動作は、図示しない検出スイッチ、例えばマイクロスイッチなどによって検出され、蹴飛ばし動作が終了すると、モータ４４が回転して１コマ送りが再び行われる。
【００３３】
カウンタ機構３１は、詳しくは図４及び図５に示すように、カウンタ板８５、及びカウンタベース７２からなる。カウンタベース７２は、本体基部１９の上方部にネジ止めなどにより取り付けられており、カウンタ板８５を支持する支持軸８６と、カウンタ板８５を付勢する付勢部材８７とが一体に形成されている。
【００３４】
カウンタ板８５の外周には所定の角度間隔で複数の歯８８が連なって形成されており、この歯８８はカムユニット７０のギア部材７５に形成されたギア部７９に噛合され、カムユニット７０の一回転によって図中反時計方向に一歯分回転される。カウンタ板８５の上面には、歯８８に対応して点や数字からなる目盛り８９が回転方向に沿って記されており、上方に配置されるカウンタカバー８２のレンズ９１を介してカメラボディ２のカウンタ窓９から外部表示される。なお、このカウンタ板８５は、残り撮影可能枚数を表示するように目盛り８９が記されている。
【００３５】
さらに、カウンタ板８５の下面には、一回り外径の小さい円板状の当接部９０が一体に形成されている。当接部９０の外周面は、歯８８に対応した数の凹部９０ａが形成されている。
【００３６】
カウンタ板８５の中心には、支持軸８６が挿入される貫通穴８５ａが形成されている。貫通穴８５ａの内径は、支持軸８６の外径よりも大きく形成されており、カウンタ板８５は、軸方向と直交する方向に対して若干の移動可能な状態で支持軸８６に支持される。また、支持軸８６の下方には一回り外径の大きいボス９２が形成されており、カウンタ板８５を下面から支持する。
【００３７】
なお、カウンタカバー８２は、カウンタ板８５の上面を覆うように、透明樹脂により形成されており、上述したレンズ９１の他に、支持軸８６の中心に形成された凹部８６ａに係合する突起部８２ａと、ファインダベース３２に形成された係止爪３２ｂによって係止される被係止部８２ｂと、ギア部材７５の上端部を回転自在に支持する軸受け穴８２ｃとが形成されている。
【００３８】
付勢部材８７は、カウンタベース７２から、カウンタ板８５の回転方向に沿って延びるように、カウンタベース７２と一体に樹脂成形されており、その一端部８７ａは、ギア部材７５とカウンタ板８５との中心を結ぶ線上に位置し、かつ当接部９０の凹部９０ａに当接する位置に設けられている。付勢部材８７は、１ｍｍ四方の略矩形断面棒状に形成され、他端部８７ｂで、カウンタベース７２と連続しているので、一端部８７ａは弾性力を有する。カウンタ板８５に当接する付勢部材８７の一端部８７ａは、その弾性力によって、カウンタ板８５をギア部材７５に向かって付勢する。これによって、付勢部材８７からの付勢を受けたカウンタ板８５はギア部材７５に噛合することができる。
【００３９】
次に、上記実施形態の作用について説明する。使用者がカメラ１の裏蓋２４を開けて、フイルム３３を適度な位置まで引き出した状態でパトローネ３８をパトローネ室３９に装填する。パトローネ室３９への装填によって、スプール３８ａの端部がスプール駆動軸４２のパトフォーク４２ａに係合する。パトローネ３８を装填して、フイルム３３のパーフォレーション３３ａをフイルム巻き取り軸４３の突起４３ａに係合させた状態で裏蓋２４を閉じると、図示しない検出部よって裏蓋２４の閉じ状態を検出したカメラ１の制御部は、モータ４４を正転方向（矢印Ａ方向）に回転し始める。モータ４４が正転方向に回転すると、フイルム巻き取り軸４３が巻き上げ方向に回転し、フイルム３３はフイルム巻き取り軸４３に巻き取られていく。そしてフイルム３３が一本分巻き取られたときモータ４４が停止し、初期送りが終了する。なお、このとき、フイルム３３の移送によるスプロケット３６の従動回転でギア部材７５も一体となって回転し、このギア部材７５に噛み合うカウンタ板８５も、ギア部材７５の回動が伝達されて反時計方向に回転する。そして、一本分のフイルム３３が巻き取られたとき、カウンタ板５の目盛り８９も、一本分の残り撮影可能枚数、例えば３６を表示する。
【００４０】
そして、一回の撮影ごとにフイルム３３の１コマ送りが行うため、カメラ１の制御部は、モータ４４を逆転方向（矢印Ｂ方向）に回転し始める。モータ４４が逆転方向に回転すると、スプール駆動軸４２が巻戻し方向に回転し、フイルム３３が１コマ分巻戻される。このとき、ギア部材７５が１回転（１コマ分に相当）してカウンタ板８５も１目盛り分回転する。上述したように付勢部材８７でカウンタ板８５を付勢し、ギア部材７５側へ押圧しているので、カウンタ板８５の歯とギア部材７５とが確実に噛み合いながらカウンタ板８５が回転し、正確に残り撮影枚数を表示することができる。また、カムユニット７０を直接付勢することなくカウンタ板８５と噛み合わせているので、カムユニット７０を構成するギア部材７５及びカム部材７４が撓むことを防ぐことが可能であり、さらにカムユニット７０が撓むことがないので、ギア部材７５及びカム部材７４が安定して回転し、カム部材７４はシャッタチャージを確実に行うことができる。また、カムユニット７０は、ファインダベース３２及びカウンタカバー８２によって上下を挟まれて支持されているので、横からの付勢に強く、この点からもカム部材７０の撓みを防ぐことが可能となっている。さらにまた、カウンタ板８５を付勢する付勢部材をカウンタベース７２と一体に形成したことにより、部品点数の増加を防ぎ、ローコスト化を図ることができる。
【００４１】
【発明の効果】
以上説明したように、本発明のカメラのカウンタ機構は、カウンタ板を、回転自在且つ軸方向と直交する方向に微小量移動自在に軸支するとともに、ギア部材とカウンタ板との中心を結ぶ線上に位置し、カウンタ板をギア部材に向かって付勢する付勢手段を備えているので、カウンタ板とギア部材とが噛合し、確実に動作することが可能となる。
【００４２】
また、付勢手段として、カウンタ板を支持する支持部材と一体に形成された付勢部材でカウンタ板を付勢することによって、部品点数を減少させ、ローコスト化を図ることができる。
【図面の簡単な説明】
【図１】本発明を実施したカメラの外観斜視図である。
【図２】図１に示すカメラの分解斜視図である。
【図３】本体基部の構成を示す分解斜視図である。
【図４】本発明のカメラのカウンタ機構の構成を示す分解斜視図である。
【図５】カウンタ機構の平面図である。
【符号の説明】
１  カメラ
３１  カウンタ機構
３３  フイルム
３３ａ  パーフォレーション
３６  スプロケット
７２  カウンタベース
７５  ギア部材
８５  カウンタ板
８７  付勢部材
【図１】
2004302236.tif 000003
【図２】
2004302236.tif 000004
【図３】
2004302236.tif 000005
【図４】
2004302236.tif 000006
【図５】
2004302236.tif 000007